(57)【要約】【課題】移動の際に転動ユニットが力を均質に受けて作動することを可能にする移動物体の輪軸を提供する。【解決手段】物体Ｐに装着され、接続座１０を備える。接続座１０は、第一接続部１１および第二接続部１２を有する。第一接続部１１は、平面Ｇに接触しかつ平面Ｇ上において転動するため転動ユニット１３を有する。第二接続部１２は、物体Ｐに接続され、接続点を円心とし、接続座１０を適切に回転させることが可能である。【選択図】図３
2010070146.tif 000002
【特許請求の範囲】
【請求項１】
物体に装着され、前記物体に平面を移動可能な機能を提供する移動物体の輪軸であって、
第一接続部および第二接続部を有する接続座を備え、
前記第一接続部は、前記平面に接触しかつ前記平面を転動することによって前記物体に移動機能を提供する転動ユニットを有し、
前記第二接続部は、前記物体に接続され、接続点を円心とし、前記接続座を適切に回転させ、前記転動ユニットを前記平面と向かい合わせて受力を平均させることが可能であることを特徴とする移動物体の輪軸。
【請求項２】
前記第二接続部は、接続孔であることを特徴とする請求項１に記載の移動物体の輪軸。
【請求項３】
前記第二接続部は、前記接続孔と長形孔を有することを特徴とする請求項１に記載の移動物体の輪軸。
【請求項４】
前記長形孔は、前記接続孔を円心とし、前記接続孔の弧状の一側に配置されることを特徴とする請求項３に記載の移動物体の輪軸。
【請求項５】
前記第二接続部の前記接続孔および前記長形孔は、左右配列方法によって配置されることを特徴とする請求項３に記載の移動物体の輪軸。
【請求項６】
前記第二接続部の前記接続孔および前記長形孔は、上下配列方法によって配置されることを特徴とする請求項３に記載の移動物体の輪軸。
【請求項７】
前記第二接続部は、一つの前記接続孔と二つの前記長形孔を有し、前記接続孔は二つの前記長形孔の間に設けられることを特徴とする請求項１に記載の移動物体の輪軸。
【発明の詳細な説明】
【技術分野】
【０００１】
本発明は移動物体のキャスター座、詳しくは移動物体の輪軸構造に関するものである。
【背景技術】
【０００２】
平面またはレールによって移動する機構または物体は、平面またはレールに近い面に支持部およびボールベアリング、キャスターまたはローラーなどの転動ユニットを配置することにより、平面またはレールに沿って移動する際、平滑かつスムーズな移動をはかる。しかし、実際にこの構造を使用する場合、いくつか欠点がある。以下、例を挙げて説明を進める。図１に示すように、自動加工機体台の上の防塵保護カバー１の底面にキャスター２が装着されている。理論上、防塵保護カバー１は平面またはレール３に平行するべきである。支持部４を平面またはレールに垂直にするため、支持部４と転動ユニット２を防塵保護カバー１の底部に装着する際に、支持部４と転動ユニット２を防塵保護カバー１と直角にすることによって転動ユニットを平面またはレールに沿って完全に移動させることが可能である。
【０００３】
防塵保護カバー１が平面またはレールに平行ではないという現象が発生すると、支持部４と防塵保護カバー１の間の直角が固定されるため、図２に示すように、転動ユニット２は確実に平面またはレールに沿って移動できず、単一側によってレールに沿って移動するのみである。従って、転動ユニットの受力が平均しなくなり、損壊現象が発生する。
【発明の開示】
【発明が解決しようとする課題】
【０００４】
本発明の主な目的は、移動の際に転動ユニットが力を均質に受けて作動することを可能にする移動物体の輪軸を提供することである。
【課題を解決するための手段】
【０００５】
上述の目的を達成するために、本発明による移動物体の輪軸は、物体に装着され、接続座を備える。接続座は、第一接続部および第二接続部を有する。第一接続部は、平面に接触しかつ平面上において転動するため転動ユニットを有する。第二接続部は、物体に接続され、接続点を円心とし、接続座を適切に回転させることが可能である。
本発明は移動必要な物体Ｐに装着され、物体Ｐが移動する時、物体と平面の間が平行でないことが原因で引き起こす悩みを避けることが可能である。
【発明を実施するための最良の形態】
【０００６】
以下、本発明の構造特徴および効果を説明するため、実施例と図面に基づいて説明を進める。
（第１実施形態）
本発明の第１実施形態による移動物体の輪軸は、図３に示すように、接続座１０を備える。接続座１０は、第一接続部１１および第二接続部１２を有する。第一接続部１１は、平面Ｇに接触しかつ平面Ｇ上において転動するため転動ユニット１３を有する。転動ユニット１３は、キャスター、ローラーまたはボールベアリングなどである。第二接続部１２は、物体Ｐとの接続に用いられる。第１実施形態において、第一接続部１１はキャスターを有し、第二接続部１２は物体Ｐの底部、例えば保護カバーの底部との接続に用いられる接続孔である。
【０００７】
これにより、接続座は第一接続部の転動ユニットによって物体に移動機能を提供することが可能である。かつ接続座は軸による接続方法で物体に連結されるため、物体間の角度は固定されない。物体が平面に平行でなくても、接続座は物体が傾斜するのに伴って斜めになることなく、平面に向かい合う角度を維持することが可能であるため、接続座の第一接続部における転動ユニットは平面に確実に接触し、力を均質に受けて平面を転動することが可能である。従って、従来の構造によって受力が平均しないような問題の再発を避けることが可能となる。
【０００８】
（第２−第４実施形態）
図４に示すように、本発明の第２実施形態の構造は前記第１実施形態の構造に似ている。第２実施形態において、接続座１０は、第一接続部１１および第二接続部１２を有する。第一接続部１１は、平面に接触するため転動ユニット１３を有する。第二接続部１２は、物体との接続に用いられる。第２実施形態において、第一接続部１１はキャスターを有する。第二接続部１２は接続孔１４および長形孔１５を有し、長形孔１５は接続孔１４を円心とし、接続孔１４の弧状の一側に配置される。接続孔１４および長形孔１５の配置位置は図４に示すように左右配列を採用することも、図５または図６に示す配列方式を採用することも可能である。図５に示すのは、本発明の第３実施形態において接続孔１４および長形孔１５を上下に配列する方式である。図６に示すのは、本発明の第４実施形態において接続孔１４の両側に縦向きの長形孔１５を配列する方式である。
【０００９】
前記構造により、接続座は接続回転機能を有することが可能なだけでなく、長形孔を配置することによって長形孔から形成される角度内において調整を適切に進め、接続座の機能をより良好にすることが可能である。
【００１０】
前記の通り、本発明による構造は、平面移動および輪軸装着が必要な別の物体、例えば台車または旅行かばんなどに適用すれば、同様に受力が平均する移動機能を提供することが可能であるため、輪軸が斜めになることが原因で損壊を引き起こすという事態を避けることが可能となる。
【図面の簡単な説明】
【００１１】
【図１】キャスター座が防塵保護カバーの下方に配置された状態を示す模式図である。
【図２】従来のキャスターと平面が傾斜している状態を呈する模式図である。
【図３】本発明の第１実施形態による移動物体の輪軸を示す正面図である。
【図４】本発明の第２実施形態による移動物体の輪軸を示す正面図である。
【図５】本発明の第３実施形態による移動物体の輪軸を示す正面図である。
【図６】本発明の第４実施形態による移動物体の輪軸を示す正面図である。
【符号の説明】
【００１２】
１０：接続座、  １１：第一接続部、  １２：第二接続部、  １３：転動ユニット、１４：接続孔、  １５：長形孔、  Ｇ：平面、  Ｐ：物体
【図１】
2010070146.tif 000003
【図２】
2010070146.tif 000004
【図３】
2010070146.tif 000005
【図４】
2010070146.tif 000006
【図５】
2010070146.tif 000007
【図６】
2010070146.tif 000008